【手続補正書】
【提出日】平成15年8月25日(2003.8.25)
【手続補正１】
【補正対象書類名】明細書
【補正対象項目名】特許請求の範囲
【補正方法】変更
【補正の内容】
【特許請求の範囲】
【請求項１】
記録内容を高保持記録する第１の磁性体と、最初は保持力が低く設定されており一度磁界に暴露されると著しく保持力が高くなる特性を有する第２の磁性体とを具備する磁気層を備え、この磁気層において第１の磁性体だけに第１の情報が記録されている第１の部分と、第１の磁性体に第１の情報が記録され第２の磁性体に第２の情報が記録されている第２の部分とを具備する磁気カードを処理する磁気カード処理機において、
上記磁気層の第１の部分に記録されている第１の情報を読取り、第２の部分に記録されている第１の情報と第２の情報とを読取る読取手段と、
この読取手段により読取った上記磁気層の第２の部分に記録されている第１の情報と第２の情報とを分離する分離手段と、
上記読取手段により読取られた第１の情報と上記分離手段により第２の情報から分離された第１の情報とを抽出する抽出手段と、
を具備したことを特徴とする磁気カード処理機。
【請求項２】
上記磁気層が、第１の磁性体と第２の磁性体とにより混合して構成されていることを特徴とする請求項１に記載の磁気カード処理機。
【請求項３】
上記磁気層が、第１の磁性体と第２の磁性体とにより２層に構成されていることを特徴とする請求項１に記載の磁気カード処理機。
【請求項４】
上記分離手段が、上記読取手段により読取った情報のピーク検出により得られる第１の情報による信号とこの第１の情報による信号から所定時間以内にピーク検出により得られる第２の情報による信号とにより、第１の情報と第２の情報とを分離することを特徴とする請求項１に記載の磁気カード処理機。
【請求項５】
記録内容を高保持記録する第１の磁性体と、最初は保持力が低く設定されており一度磁界に暴露されると著しく保持力が高くなる特性を有する第２の磁性体とを具備する磁気層を備え、この磁気層において第１の磁性体だけに秘匿情報が記録されている第１の部分と、第１の磁性体に秘匿情報が記録され第２の磁性体に隠蔽情報が記録されている第２の部分とを具備する磁気カードを処理する磁気カード処理機において、
上記磁気層の第１の部分に記録されている秘匿情報を読取り、第２の部分に記録されている秘匿情報と隠蔽情報とを読取る読取手段と、
この読取手段により読取った上記磁気層の第２の部分に記録されている秘匿情報と隠蔽情報とを分離する分離手段と、
上記読取手段により読取られた秘匿情報と上記分離手段により隠蔽情報から分離された秘匿情報とを抽出する抽出手段と、
を具備したことを特徴とする磁気カード処理機。
【請求項６】
記録内容を高保持記録する第１の磁性体と、最初は保持力が低く設定されており一度磁界に暴露されると著しく保持力が高くなる特性を有する第２の磁性体とを具備する磁気層を備え、この磁気層において第１の磁性体だけに秘匿情報が記録されている第１の部分と、第１の磁性体に秘匿情報が記録され第２の磁性体に隠蔽用の暗号化情報が記録されている第２の部分とを具備する磁気カードを処理する磁気カード処理機において、
上記磁気層の第１の部分に記録されている秘匿情報を読取り、第２の部分に記録されている秘匿情報と隠蔽用の暗号化情報とを読取る読取手段と、
この読取手段により読取った上記磁気層の第２の部分に記録されている秘匿情報と隠蔽用の暗号化情報とを分離する分離手段と、
上記読取手段により読取られた秘匿情報と上記分離手段により隠蔽用の暗号化情報から分離された秘匿情報とを抽出する抽出手段と、
この抽出手段により抽出された秘匿情報を上記分離手段により分離された隠蔽用の暗号化情報を用いて解読する解読手段と、
を具備したことを特徴とする磁気カード処理機。
【請求項７】
上記磁気層が、第１の磁性体と第２の磁性体とにより混合して構成されていることを特徴とする請求項６に記載の磁気カード処理機。
【請求項８】
上記磁気層が、第１の磁性体と第２の磁性体とにより２層に構成されていることを特徴とする請求項６に記載の磁気カード処理機。
【請求項９】
上記分離手段が、上記読取手段により読取った情報のピーク検出により得られる秘匿情報による信号とこの秘匿情報による信号から所定時間以内にピーク検出により得られる隠蔽用の暗号化情報による信号とにより、秘匿情報と隠蔽用の暗号化情報とを分離することを特徴とする請求項６に記載の磁気カード処理機。
【請求項１０】
上記磁気層の第２の部分が複数に分割されており、上記読取手段により秘匿情報と隠蔽用の暗号化情報とが読取られる上記磁気層の第２の部分における隠蔽用の暗号化情報による信号の個数により上記隠蔽用の暗号化情報が示されているものであることを特徴とする請求項６に記載の磁気カード処理機。
【請求項１１】
上記読取手段により秘匿情報と隠蔽用の暗号化情報とが読取られる上記磁気層の第２の部分との長さや間隔により上記隠蔽用の暗号化情報が示されていることを特徴とする請求項６に記載の磁気カード処理機。
【請求項１２】
上記読取手段により秘匿情報と隠蔽用の暗号化情報とが読取られる上記磁気層の第２の部分の位置により上記隠蔽用の暗号化情報が示されていることを特徴とする請求項６に記載の磁気カード処理機。
【請求項１３】
記録内容を高保持記録する第１の磁性体と、最初は保持力が低く設定されており一度磁界に暴露されると著しく保持力が高くなる特性を有する第２の磁性体とを具備する磁気層を備え、この磁気層において第１の磁性体だけに第１の情報が記録されている第１の部分と、第１の磁性体に第１の情報が記録され第２の磁性体に第２の情報が記録されている第２の部分とを具備する磁気カードを処理するものにおいて、
上記磁気層の第１の部分に記録されている第１の情報を読取り、第２の部分に記録されている第１の情報と第２の情報とを読取り、
この読取った上記磁気層の第２の部分に記録されている第１の情報と第２の情報とを分離し、
上記読取られた第１の情報と上記第２の情報から分離された第１の情報とを抽出する、
ことを特徴とする磁気カード処理方法。
【請求項１４】
記録内容を高保持記録する第１の磁性体と、最初は保持力が低く設定されており一度磁界に暴露されると著しく保持力が高くなる特性を有する第２の磁性体とを具備する磁気層を備え、この磁気層において第１の磁性体だけに秘匿情報が記録されている第１の部分と、第１の磁性体に秘匿情報が記録され第２の磁性体に隠蔽情報が記録されている第２の部分とを具備する磁気カードを処理するものにおいて、
上記磁気層の第１の部分に記録されている秘匿情報を読取り、第２の部分に記録されている秘匿情報と隠蔽情報とを読取り、
この読取った上記磁気層の第２の部分に記録されている秘匿情報と隠蔽情報とを分離し、
上記読取られた秘匿情報と上記隠蔽情報から分離された秘匿情報とを抽出する、
ことを特徴とする磁気カード処理方法。
【請求項１５】
記録内容を高保持記録する第１の磁性体と、最初は保持力が低く設定されており一度磁界に暴露されると著しく保持力が高くなる特性を有する第２の磁性体とを具備する磁気層を備え、この磁気層において第１の磁性体だけに秘匿情報が記録されている第１の部分と、第１の磁性体に秘匿情報が記録され第２の磁性体に隠蔽用の暗号化情報が記録されている第２の部分とを具備する磁気カードを処理するものにおいて、
上記磁気層の第１の部分に記録されている秘匿情報を読取り、第２の部分に記録されている秘匿情報と隠蔽用の暗号化情報とを読取り、
この読取った上記磁気層の第２の部分に記録されている秘匿情報と隠蔽用の暗号化情報とを分離し、
上記読取られた秘匿情報と上記隠蔽用の暗号化情報から分離された秘匿情報とを抽出し、
この抽出された秘匿情報を上記分離された隠蔽用の暗号化情報を用いて解読する、
ことを特徴とする磁気カード処理方法。
【請求項１６】
記録内容を高保持記録する第１の磁性体と、最初は保持力が低く設定されており一度磁界に暴露されると著しく保持力が高くなる特性を有する第２の磁性体とを具備する磁気層を備えている磁気カードを処理する磁気カード発行機において、
上記磁気層の第２の磁性体を第２の情報に基づいて部分的に直流消去する消去手段と、
この消去手段による第２の磁性体の部分的な直流消去の後、磁気ギャップを有する磁気ヘッドを用いて上記磁気層に第１の情報を記録する記録手段とを具備し、
上記磁気層が第１の磁性体だけに第１の情報が記録されている第１の部分と、第１の磁性体に第１の情報が記録され第２の磁性体に第２の情報が記録されている第２の部分とを具備する磁気カードが発行されることを特徴とする磁気カード発行機。
【請求項１７】
記録内容を高保持記録する第１の磁性体と、最初は保持力が低く設定されており一度磁界に暴露されると著しく保持力が高くなる特性を有する第２の磁性体とを具備する磁気層を備えている磁気カードを処理する磁気カード発行機において、
上記磁気層の第２の磁性体を隠蔽情報に基づいて部分的に直流消去する消去手段と、
この消去手段による第２の磁性体の部分的な直流消去の後、磁気ギャップを有する磁気ヘッドを用いて上記磁気層に秘匿情報を記録する記録手段とを具備し、
上記磁気層が第１の磁性体だけに秘匿情報が記録されている第１の部分と、第１の磁性体に秘匿情報が記録され第２の磁性体に隠蔽情報が記録されている第２の部分とを具備する磁気カードが発行されることを特徴とする磁気カード発行機。
【請求項１８】
記録内容を高保持記録する第１の磁性体と、最初は保持力が低く設定されており一度磁界に暴露されると著しく保持力が高くなる特性を有する第２の磁性体とを具備する磁気層を備えている磁気カードを処理する磁気カード発行機において、
上記磁気層の第２の磁性体を隠蔽用の暗号化情報に基づいて部分的に直流消去する消去手段と、
この消去手段による第２の磁性体の部分的な直流消去の後、磁気ギャップを有する磁気ヘッドを用いて上記磁気層に秘匿情報を記録する記録手段とを具備し、
上記磁気層が第１の磁性体だけに秘匿情報が記録されている第１の部分と、第１の磁性体に秘匿情報が記録され第２の磁性体に隠蔽用の暗号化情報が記録されている第２の部分とを具備する磁気カードが発行されることを特徴とする磁気カード発行機。
【請求項１９】
記録内容を高保持記録する第１の磁性体と、最初は保持力が低く設定されており一度磁界に暴露されると著しく保持力が高くなる特性を有する第２の磁性体とを具備する磁気層を備えている磁気カードを発行するものにおいて、
上記磁気層の第２の磁性体を第２の情報に基づいて部分的に直流消去し、
この消去の後、磁気ギャップを有する磁気ヘッドを用いて上記磁気層に第１の情報を記録し、
上記磁気層が第１の磁性体だけに第１の情報が記録されている第１の部分と、第１の磁性体に第１の情報が記録され第２の磁性体に第２の情報が記録されている第２の部分とを具備する磁気カードが発行されることを特徴とする磁気カード発行方法。
【請求項２０】
記録内容を高保持記録する第１の磁性体と、最初は保持力が低く設定されており一度磁界に暴露されると著しく保持力が高くなる特性を有する第２の磁性体とを具備する磁気層を備えている磁気カードを発行するものにおいて、
上記磁気層の第２の磁性体を隠蔽情報に基づいて部分的に直流消去し、
この消去の後、磁気ギャップを有する磁気ヘッドを用いて上記磁気層に秘匿情報を記録し、
上記磁気層が第１の磁性体だけに秘匿情報が記録されている第１の部分と、第１の磁性体に秘匿情報が記録され第２の磁性体に隠蔽情報が記録されている第２の部分とを具備する磁気カードが発行されることを特徴とする磁気カード発行方法。
【請求項２１】
記録内容を高保持記録する第１の磁性体と、最初は保持力が低く設定されており一度磁界に暴露されると著しく保持力が高くなる特性を有する第２の磁性体とを具備する磁気層を備えている磁気カードを発行するものにおいて、
上記磁気層の第２の磁性体を隠蔽用の暗号化情報に基づいて部分的に直流消去し、
この消去の後、磁気ギャップを有する磁気ヘッドを用いて上記磁気層に秘匿情報を記録し、
上記磁気層が第１の磁性体だけに秘匿情報が記録されている第１の部分と、第１の磁性体に秘匿情報が記録され第２の磁性体に隠蔽用の暗号化情報が記録されている第２の部分とを具備する磁気カードが発行されることを特徴とする磁気カード発行方法。
【手続補正２】
【補正対象書類名】明細書
【補正対象項目名】０００６
【補正方法】変更
【補正の内容】
【０００６】
【課題を解決するための手段】
この発明の磁気カード処理機は、記録内容を高保持記録する第１の磁性体と、最初は保持力が低く設定されており一度磁界に暴露されると著しく保持力が高くなる特性を有する第２の磁性体とを具備する磁気層を備え、この磁気層において第１の磁性体だけに第１の情報が記録されている第１の部分と、第１の磁性体に第１の情報が記録され第２の磁性体に第２の情報が記録されている第２の部分とを具備する磁気カードを処理するものにおいて、上記磁気層の第１の部分に記録されている第１の情報を読取り、第２の部分に記録されている第１の情報と第２の情報とを読取る読取手段、この読取手段により読取った上記磁気層の第２の部分に記録されている第１の情報と第２の情報とを分離する分離手段、および上記読取手段により読取られた第１の情報と上記分離手段により第２の情報から分離された第１の情報とを抽出する抽出手段から構成されている。


【手続補正３】
【補正対象書類名】明細書
【補正対象項目名】０００７
【補正方法】変更
【補正の内容】
【０００７】
この発明の磁気カード処理機は、記録内容を高保持記録する第１の磁性体と、最初は保持力が低く設定されており一度磁界に暴露されると著しく保持力が高くなる特性を有する第２の磁性体とを具備する磁気層を備え、この磁気層において第１の磁性体だけに秘匿情報が記録されている第１の部分と、第１の磁性体に秘匿情報が記録され第２の磁性体に隠蔽情報が記録されている第２の部分とを具備する磁気カードを処理するものにおいて、上記磁気層の第１の部分に記録されている秘匿情報を読取り、第２の部分に記録されている秘匿情報と隠蔽情報とを読取る読取手段、この読取手段により読取った上記磁気層の第２の部分に記録されている秘匿情報と隠蔽情報とを分離する分離手段、および上記読取手段により読取られた秘匿情報と上記分離手段により隠蔽情報から分離された秘匿情報とを抽出する抽出手段から構成されている。


【手続補正４】
【補正対象書類名】明細書
【補正対象項目名】０００８
【補正方法】変更
【補正の内容】
【０００８】
この発明の磁気カード処理機は、記録内容を高保持記録する第１の磁性体と、最初は保持力が低く設定されており一度磁界に暴露されると著しく保持力が高くなる特性を有する第２の磁性体とを具備する磁気層を備え、この磁気層において第１の磁性体だけに秘匿情報が記録されている第１の部分と、第１の磁性体に秘匿情報が記録され第２の磁性体に隠蔽用の暗号化情報が記録されている第２の部分とを具備する磁気カードを処理するものにおいて、上記磁気層の第１の部分に記録されている秘匿情報を読取り、第２の部分に記録されている秘匿情報と隠蔽用の暗号化情報とを読取る読取手段、この読取手段により読取った上記磁気層の第２の部分に記録されている秘匿情報と隠蔽用の暗号化情報とを分離する分離手段、上記読取手段により読取られた秘匿情報と上記分離手段により隠蔽用の暗号化情報から分離された秘匿情報とを抽出する抽出手段、およびこの抽出手段により抽出された秘匿情報を上記分離手段により分離された隠蔽用の暗号化情報を用いて解読する解読手段から構成されている。


【手続補正５】
【補正対象書類名】明細書
【補正対象項目名】０００９
【補正方法】変更
【補正の内容】
【０００９】
この発明の磁気カード発行機は、記録内容を高保持記録する第１の磁性体と、最初は保持力が低く設定されており一度磁界に暴露されると著しく保持力が高くなる特性を有する第２の磁性体とを具備する磁気層を備えている磁気カードを処理するものにおいて、上記磁気層の第２の磁性体を第２の情報に基づいて部分的に直流消去する消去手段、この消去手段による第２の磁性体の部分的な直流消去の後、磁気ギャップを有する磁気ヘッドを用いて上記磁気層に第１の情報を記録する記録手段から構成され、上記磁気層が第１の磁性体だけに第１の情報が記録されている第１の部分と、第１の磁性体に第１の情報が記録され第２の磁性体に第２の情報が記録されている第２の部分とを具備する磁気カードが発行されるものである。


【手続補正６】
【補正対象書類名】明細書
【補正対象項目名】００１０
【補正方法】変更
【補正の内容】
【００１０】
この発明の磁気カード発行機は、記録内容を高保持記録する第１の磁性体と、最初は保持力が低く設定されており一度磁界に暴露されると著しく保持力が高くなる特性を有する第２の磁性体とを具備する磁気層を備えている磁気カードを処理するものにおいて、上記磁気層の第２の磁性体を隠蔽情報に基づいて部分的に直流消去する消去手段、この消去手段による第２の磁性体の部分的な直流消去の後、磁気ギャップを有する磁気ヘッドを用いて上記磁気層に秘匿情報を記録する記録手段から構成され、上記磁気層が第１の磁性体だけに秘匿情報が記録されている第１の部分と、第１の磁性体に秘匿情報が記録され第２の磁性体に隠蔽情報が記録されている第２の部分とを具備する磁気カードが発行されるものである。


【手続補正７】
【補正対象書類名】明細書
【補正対象項目名】００１１
【補正方法】変更
【補正の内容】
【００１１】
この発明の磁気カード発行機は、記録内容を高保持記録する第１の磁性体と、最初は保持力が低く設定されており一度磁界に暴露されると著しく保持力が高くなる特性を有する第２の磁性体とを具備する磁気層を備えている磁気カードを処理するものにおいて、上記磁気層の第２の磁性体を隠蔽用の暗号化情報に基づいて部分的に直流消去する消去手段、この消去手段による第２の磁性体の部分的な直流消去の後、磁気ギャップを有する磁気ヘッドを用いて上記磁気層に秘匿情報を記録する記録手段から構成され、上記磁気層が第１の磁性体だけに秘匿情報が記録されている第１の部分と、第１の磁性体に秘匿情報が記録され第２の磁性体に隠蔽用の暗号化情報が記録されている第２の部分とを具備する磁気カードが発行されるものである。